(57)【特許請求の範囲】
【請求項１】
器具本体内部に電線挿入孔から挿入された電線を接続端子に接続させるとともに、該接続端子と電線との接続状態を保持する電線接続保持手段と、該電線接続保持手段による電線の保持を解除する保持解除部材とを設けた、以下の要件を備えることを特徴とする配線器具。
（イ）上記器具本体内には上記保持解除部材を上下左右に作動可能に配置し、作動時には上記電線接続保持手段による電線の保持を解除するようにしたこと
（ロ）上記器具本体の底面には上記保持解除部材を作動させる作動具を挿入する作動具挿入孔を形成するとともに、該作動具挿入孔を前端が板状又は軸状の作動具の何れもが挿入できるように略台形状に形成したこと
（ハ）上記保持解除部材には、上記作動具挿入口から差し込んだ板状作動具の先端が円滑に挿入できるように底面から上面に向かって滑らかに湾曲した挿入案内面を形成し、挿入時には上記保持解除部材は左右方向に作動すること
（二）上記保持解除部材の底面には、上記作動具挿入口から差し込んだ軸状作動具の先端が滑らないように係合する係合溝を配線器具本体の長手方向と並行に設け、挿入時には上記保持解除部材は上下方向に作動すること
【請求項２】
前記台形状の作動具挿入孔は、その下底部縁が円弧状に切り欠かかれている、請求項１記載の配線器具。
【発明の詳細な説明】
【０００１】
【発明の属する技術分野】
本発明は、電線が配線される配線器具に関する。
【０００２】
【従来の技術】
従来、配線器具に電線を取り付ける際、電線をネジ止めすることなく電線を接続、解除する機構を備えた配線器具が提案され実用に供されている。この配線器具は、ケース本体に電線を差し込むための電線差込孔が形成され、内部には電線差込孔に対応して速結端子が配置されているもので、この速結端子はネジで固定することなく電線を固定することができる公知のものであって、接続端子と、押えバネとからなり、電線差込孔から差し込まれた電線を押えバネで接続端子に押付けて電気的な接続状態を維持するとともに、機械的に固定するように形成されているもので、電線外し機構を作動させることにより押えバネによる押付けを解除して電線を容易に抜き取ることができるように構成されている。
【０００３】
電線外し機構は、押えバネの伸縮方向に移動可能に配置され、作動時には押えバネを圧縮し、接続端子と押えバネとによる電線の挟持を解除する解除部材で構成されている。
【０００４】
解除部材は、押えバネとケース本体の内壁との間に配置され、この解除部材とケース本体の内壁面との間に解除具を差し込んで解除部材を電線挿入方向に直交する方向に押圧することにより圧縮させるようになっているもので、解除具としてドライバーを用いる場合は、マイナスドライバーであれば、解除部材とケース本体の内壁面との間に先端を差し込むことができるので、ケース本体に形成される解除部材の差込孔は、マイナスドライバーの先端形状に対応して長方形孔状に形成されていた。
【０００５】
【発明が解決しようとする課題】
しかしながら、配線器具に接続された電線を外す必要が生じたときには、壁など固定されている配線器具を取り付け面から取り外す必要があり、その際は一般に配線器具を壁などに固定するネジはプラスネジが使われている関係上、使用する工具はプラスドライバーが使用されているため、取り付け面からとり外した配線器具から電線を外す段になると、プラスドライバーからマイナスドライバーに持ち替えなければならず、その都度ドライバーを持ち替えることが煩雑であった。
【０００６】
本発明は上記問題点を解消し、保持解除部材による電線の保持解除動作をマイナスドライバー、プラスドライバーの何れであっても正しく行なわせることができる配線器具を提供することをその課題とする。
【０００７】
【課題を解決するための手段】
前記課題を解決するため、本発明に係る配線器具は、器具本体内部に電線挿入孔から挿入された電線を接続端子に接続させるとともに、該接続端子と電線との接続状態を保持する電線接続保持手段と、該電線接続保持手段による電線の保持を解除する保持解除部材とを設けた、以下の要件を備えることを特徴とする。
（イ）上記器具本体内には上記保持解除部材を上下左右に作動可能に配置し、作動時には上記電線接続保持手段による電線の保持を解除するようにしたこと
（ロ）上記器具本体の底面には上記保持解除部材を作動させる作動具を挿入する作動具挿入孔を形成するとともに、該作動具挿入孔を前端が板状又は軸状の作動具の何れもが挿入できるように略台形状に形成したこと
（ハ）上記保持解除部材には、上記作動具挿入口から差し込んだ板状作動具の先端が円滑に挿入できるように底面から上面に向かって滑らかに湾曲した挿入案内面を形成し、挿入時には上記保持解除部材は左右方向に作動すること
（二）上記保持解除部材の底面には、上記作動具挿入口から差し込んだ軸状作動具の先端が滑らないように係合する係合溝を配線器具本体の長手方向と並行に設け、挿入時には上記保持解除部材は上下方向に作動すること
【０００８】
なお、前記台形状の作動具挿入孔は、その下底部縁が円弧状に切り欠かかれ、プラスドライバーの挿入時の位置が安定するようにしてもよい。
【０００９】
【発明の実施の形態】
図1（ａ）（ｂ）は本発明に係る配線器具Ａの正面図及び底面図を示し、この配線器具Ａは、照明器具などの電気器具に供給する電源をＯＮ／ＯＦＦする電源スイッチに適用したもので、この電源スイッチは、器具本体１がケース１ａとカバー１ｂとからなり、ケース１ａの底面には電線を個別に挿入する電線挿入孔２と、後述する挿入された電線の保持を解除する保持解除部材１４を操作する為の作動具を挿入する作動具挿入孔３とが下方に開口して形成され、器具本体１の内部には、図２に示すように、電線ａが接続される接続端子４、５が配置され、これらの接続端子４、５に対応するとともに、上記電線挿入孔２の上部に配置され、挿入された電線ａを係止するとともに、電線ａと接続端子４、５とを導通させる押えバネ（電線接続保持手段）６、６が配置されている。そして、接続端子４には、スプリング７で上方に付勢されるとともに、可動接触子８を支持する側面視略Ｖ字状の導電性を有する支持板９が前方に突出して連結され，可動接触子８が、図２上で、左右に反転すると可動接点８ａが接続端子４の接点４ａと接続端子５の接点５ａとに選択的に接触し、電気回路の接続・遮断ができるように構成されているものである。なお、符号１０は、スイッチの作動状態を点灯又は消灯で表示するネオンランプである。
【００１０】
ところで、上記作動具挿入孔３は、図1（ｂ）上で上下方向に形成された縦長の開口部１１によって前端が板状である作動具（マイナスドライバー）ｂの先端を挿入できるようになっており、山形状の切り欠き部１２によって前端が軸状である作動具（プラスドライバー）ｃの先端が挿入できるように全体として略台形状に形成されている。
【００１１】
さらに、この作動具挿入孔３は台形状の下底部縁に、山形状の切り欠き部１２に対向して円弧状の切り欠き部１３が形成され、両切り欠き部１２、１３によってプラスドライバーｃの挿入を、より確実にガイドできるようになっている。
【００１２】
保持解除部材１４は、ケース１ａの内壁面と、押えバネ６との間に上下左右に移動可能に配置された絶縁性を有する樹脂製のブロック体からなり、この保持解除部材１４のケース本体１の内壁面に対面する外側面１４ａには底面１４ｂから連続して滑らかに曲折した挿入案内面１５が形成され、作動具挿入孔３からマイナスドライバーｂの先端を差し込んだとき、図３（ａ）に示すように、上記挿入案内面１５に沿って先端が保持解除部材１４の外側面１４ａとケース本体１の内壁面との間の隙間に円滑に挿入できるようになっている。
【００１３】
そして、上記挿入案内面１５の中央部、つまり、上記作動具挿入孔３の山形状の切り欠き部１２に対応する位置には係合溝１６が形成されている。この係合溝１６はプラスドライバーｃの先端が係合する凹溝であって、作動具挿入孔３からプラスドライバーｃの先端を差し込んだとき、先端の十字部が保持解除部材１４の係合溝１６に係合し、挿入案内面１５から滑って横方向に外れないようになっている。
【００１４】
上記保持解除部材１４の内側面１４ｃには押えバネ６の爪部６ａに係合する係合突部１７が突出形成されている。この係合突部１７は、保持解除部材１４がプラスドライバーｃによって押し込まれたとき、図４（ｂ）に示すように、保持解除部材１４が内側に回動し、爪部６ａを内方に押圧するようにして押えバネ６を収縮させ、爪部６ａによる電線ａの係止状態（爪部６ａによる電線ａへの食いつき）を解除するものである
上記構成の配線器具によれば、電線挿入孔２から差し込まれた電線ａは、図２に示すように、接続端子４、５と押えバネ６との間に圧入され、押えバネ６が撓んで爪部６ａが電線ａに食い込むようにして係止するとともに接触部６ｂが電線に圧接して導通状態を確保している。
【００１５】
この状態では、爪部６ａが電線ａに食い込むように係止しているので、電線ａを引き抜くことはできない。
【００１６】
上述のようにして配線器具に取り付けられている電線を外す必要が生じた場合、作動具挿入孔３にマイナスドライバーｂの先端を挿入したときは、図３（ａ）及び図４（ａ）に示すように、保持解除部材１４の挿入案内面１５に沿ってマイナスドライバーｂの先端が保持解除部材１４とケース１ａの内壁面との隙間に進入し、挿入されたマイナスドライバーｂによって保持解除部材１４はケース1ａの内部側に向かって移動するように押圧され、保持解除部材１４の内側面１４ｃが押えバネの爪部６ａを内方（爪部６ａによる電線への食いつきを解除する方向）に押圧するので、爪部６ａによる電線ａの係止状態が解除され、この状態を維持したまま電線ａを引き抜けば、配線器具Ａから電線ａを容易に取り外すことができる。
【００１７】
一方、作動具挿入孔３にプラスドライバーｃの先端を差し込んだときは、図３（ｂ）及び図４（ｂ）に示すように、プラスドライバーｃの先端の十字部が保持解除部材１４の挿入案内面１５に形成された係合溝１６に係合するので、プラスドライバーｃをさらにケース１ａ内に押し込むと、保持解除部材１４は上部に向かって押圧されながら内側に向かって回動し、内側面１４ｃに形成された係合突部１７が、爪部６ａを内方（爪部６ａによる電線への食いつきを解除する方向）に押圧するので、爪部６ａによる電線ａの係止状態が解除され、この状態を維持したまま電線ａを引き抜けば、配線器具Ａから電線ａを容易に取り外すことができる。
【００１８】
なお、プラスドライバーｃを差し込む際、作動具挿入孔３に形成された切り欠き部１３がプラスドライバーｃの差込み位置を安定させるとともに、保持解除部材１４に形成された係合溝１６がプラスドライバーｃの先端の十字部に係合し、プラスドライバーｃによる押し込み時に、プラスドライバーｃの先端が横方向に滑って挿入案内面１５から外れるようなことがなく、保持解除部材１４を確実に作動させることができる。
【００１９】
また、作動具挿入孔３に切り欠き部１３を形成したことにより、多少太めのプラスドライバーであっても使用することができ、プラスドライバーの太さをあまり気にしないで作業を行なうことができる。
【００２０】
なお、上述の配線器具は電源スイッチについて説明したがこの配線器具はコンセント、分岐装置など電線が接続されるものであって、その電線の接続を解除する必要が生じるものであれば電源スイッチに限定されるものではないことは言うまでもない。
【００２１】
【発明の効果】
本発明の配線器具によれば、配線器具に接続した電線をプラスドライバーであっても、マイナスドライバーと同様に簡単に取り外すことができる。
【図面の簡単な説明】
【図１】（ａ）（ｂ）は配線器具の正面図及び背面図
【図２】配線器具の内部構造を説明する要部縦断面図
【図３】（ａ）（ｂ）は作動具と作動具挿入孔との関係を説明する底面側斜視図
【図４】（ａ）（ｂ）は作動具による保持解除部材の作動状態を説明する要部縦断面図
【符号の説明】
１  器具本体
２  電線挿入孔
３  作動具挿入孔
４  接続端子
５  接続端子
６  電線接続保持手段（押えバネ）
１４  保持解除部材
１６  係合溝
【図１】
0004535568.tif 000002
【図２】
0004535568.tif 000003
【図３】
0004535568.tif 000004
【図４】
0004535568.tif 000005